(57)【要約】      （修正有）【課題】特に住宅内やオフィス内、車内などに設置して用いる芳香装置を提供する。【解決手段】芳香装置は、表側に固体芳香剤（２０）を収容可能な収容室（１１）が形成され、該収容室（１１）の下方に少なくとも１つの貫通状の空気導入口（１５）が形成される容器（１０）と、その裏側と前記容器（１０）の表側の間に、容器（１０）の空気導入口（１５）と収容室（１１）とが連通する通路（３４）が形成されるように、該容器（１０）の表側に配置され、その上側に前記通路（３４）と連通する空気導出口（３５）が形成される前部カバー（３０）と、前記容器（１０）上に設置される掛止部材（４０）と、を含むことを特徴とする。【選択図】図２
0003117077.tif 000002
【実用新案登録請求の範囲】
【請求項１】
表側に固体芳香剤を収容可能な収容室が形成され、該収容室の下方に少なくとも１つの貫通状の空気導入口が形成される容器と、
その裏側と前記容器の表側の間に、容器の空気導入口と収容室とが連通する通路が形成されるように、該容器の表側に配置され、その上側に前記通路と連通する空気導出口が形成される前部カバーと、
前記容器上に設置される掛止部材と、を含むことを特徴とする芳香装置。
【請求項２】
前記容器の上下端にそれぞれ内面に凸部を有する貫通孔が形成されると共に、前記前部カバーの裏側上下端にそれぞれ該貫通孔を貫通し、凸部と掛合するフックが設けられ、
前記容器の左右両側にそれぞれ半円溝を有する凸ブロックが設けられると共に、前記掛止部材の両側にそれぞれ前方へ延出する連結アームが設けられ、該各連結アームの内側にそれぞれ容器の半円溝と嵌合する円形凸部が設けられ、更に掛止部材の両側後部にそれぞれ後方へ延出する上部挟持部が設けられると共に、中央には後方へ延出する下部挟持部が設けられ、その下部挟持部と上部挟持部との設置位置の高さが異なり、
前記下部挟持部の上面に複数の防滑部が並設されることを特徴とする請求項１に記載の芳香装置。
【請求項３】
前記前部カバーの表側にマーク用凹部が形成されることを特徴とする請求項１又は２に記載の芳香装置。
【考案の詳細な説明】
【技術分野】
【０００１】
本考案は、特に住宅内やオフィス内、車内などに設置して用いる芳香装置に関するものである。
【背景技術】
【０００２】
一般に芳香剤は、室内や車内などで用いられ、その発散される香りにより、異臭を除去し、更には、芳香剤の中に含まれる植物系エッセンスオイルの成分により、精神を安定させるなどの効果も有する。
【０００３】
図４に示すように、従来の、車内などに用いられる芳香装置は、ブラケット（９０）を有し、該ブラケット（９０）の内に液体芳香剤（９２）が充填される、交換可能な中空のボトル容器（９１）が設置され、該ボトル容器（９１）の上部に開口（符号なし）が形成され、更に、液体芳香剤（９２）が充填されるボトル容器（９１）の内に上端が露出し芳香を発散する芯（９３）が挿設されると共に、ブラケット（９０）の上部における、芯（９３）の上方に芳香を外部に発散するための複数の貫通孔（９４１）を有する着脱可能な上蓋（９４）が設けられ、ブラケット（９０）の裏側に車内のエアコンの吹出し口などに挟持するための挟持部材（９５）が設けられる構成を有する。
【考案の開示】
【考案が解決しようとする課題】
【０００４】
しかしながら、前記従来の芳香装置は、液体芳香剤が採用され、その液体芳香剤が充填されたボトル容器は上部に開口を有するので、車内に設置した場合には、走行中の振動によりボトル容器から液体芳香剤が零れる恐れがあるので、使用上非常に不便である。
【課題を解決するための手段】
【０００５】
本願の請求項１の考案は、表側に固体芳香剤を収容可能な収容室が形成され、該収容室の下方に少なくとも１つの貫通状の空気導入口が形成される容器と、
その裏側と前記容器の表側の間に、容器の空気導入口と収容室とが連通する通路が形成されるように、該容器の表側に配置され、その上側に前記通路と連通する空気導出口が形成される前部カバーと、
前記容器上に設置される掛止部材と、を含むことを特徴とする芳香装置、を提供する。
【０００６】
本願の請求項２の考案は、前記容器の上下端にそれぞれ内面に凸部を有する貫通孔が形成されると共に、前記前部カバーの裏側上下端にそれぞれ該貫通孔を貫通し、凸部と掛合するフックが設けられ、
前記容器の左右両側にそれぞれ半円溝を有する凸ブロックが設けられると共に、前記掛止部材の両側にそれぞれ前方へ延出する連結アームが設けられ、該各連結アームの内側にそれぞれ容器の半円溝と嵌合する円形凸部が設けられ、更に掛止部材の両側後部にそれぞれ後方へ延出する上部挟持部が設けられると共に、中央には後方へ延出する下部挟持部が設けられ、その下部挟持部と上部挟持部との設置位置の高さが異なり、
前記下部挟持部の上面に複数の防滑部が並設されることを特徴とする請求項１に記載の芳香装置、を提供する。
【０００７】
本願の請求項３の考案は、前記前部カバーの表側にマーク用凹部が形成されることを特徴とする請求項１又は２に記載の芳香装置、を提供する。
【考案の効果】
【０００８】
本考案は上記の課題を解決するものであり、表側に固体芳香剤を収容可能な収容室が形成され、該収容室の下方に少なくとも１つの貫通状の空気導入口が形成される容器と、その裏側と前記容器の表側の間に、容器の空気導入口と収容室とが連通する通路が形成されるように、該容器の表側に配置され、その上側に前記通路と連通する空気導出口が形成される前部カバーと、前記容器上に設置される掛止部材と、を含み、
前記容器の上下端にそれぞれ内面に凸部を有する貫通孔が形成されると共に、前記前部カバーの裏側上下端にそれぞれ該貫通孔を貫通し、凸部と掛合するフックが設けられ、
前記容器の左右両側にそれぞれ半円溝を有する凸ブロックが設けられると共に、前記掛止部材の両側にそれぞれ前方へ延出する連結アームが設けられ、該各連結アームの内側にそれぞれ容器の半円溝と嵌合する円形凸部が設けられ、更に掛止部材の両側後部にそれぞれ後方へ延出する上部挟持部が設けられると共に、中央には後方へ延出する下部挟持部が設けられ、その下部挟持部と上部挟持部との設置位置の高さが異なり、
前記下部挟持部の上面に複数の防滑部が並設され、
前記前部カバーの表側にマーク用凹部が形成され、
前記容器における収容室の底面に少なくとも１つの固定ロッドが設けられる構成を有するので、本考案の芳香装置を車内におけるエアコンの吹出し口に設置しても、従来のように芳香剤が零れる心配はなく、芳香をスムーズに外部へ発散させることができる。
【考案を実施するための最良の形態】
【０００９】
以下、添付図面を参照して本考案の好適な実施の形態を詳細に説明する。
【実施例】
【００１０】
図１は本考案に係る芳香装置の斜視図であり、図２は本考案に係る芳香装置の分解斜視図であり、図３は本考案に係る芳香装置の側面断面図である。
【００１１】
図１及び図２に示すように、本考案の芳香装置は、容器（１０）、固体芳香剤（２０）、前部カバー（３０）及び掛止部材（４０）を含み、
該容器（１０）は、表側に固体芳香剤（２０）を収容可能な収容室（１１）が形成され、該収容室（１１）の底面に固体芳香剤（２０）を貫いて固定する、断面十字形、円弧形、矩形或いは多角形の固定ロッド（１１１）が設けられる。また、前記容器（１０）上における、収容室（１１）の下方に少なくとも1つの貫通状の空気導入口（１５）が形成され、容器（１０）の左右両側にそれぞれ半円溝（１７１）を有する凸ブロック（１７）が設けられると共に、容器（１０）の上下端にそれぞれ内面に凸部（１３１）を有する貫通孔（１３）が形成される。
【００１２】
図３に示すように、前記前部カバー（３０）は、前記容器（１０）の表側に設置され、その設置により裏側と該容器（１０）の表側の間に、容器（１０）の空気導入口（１５）及び収容室（１１）と通じる通路（３４）が形成されると共に、表側上段に空気導入口（１５）及び収容室（１１）と通じる少なくとも１つの貫通状の空気導出口（３５）が形成され、更に裏側上下端にそれぞれ該貫通孔（１３）を貫通し、凸部（１３１）と掛止するフック（３３）が設けられ、表側にはメーカー名や型番などを標示するためのマーク用凹部（３１）が形成される。
【００１３】
前記掛止部材（４０）は、前記容器（１０）の両側に設けられる凸ブロック（１７）上に枢設され、、両側にそれぞれ前方へ延出する連結アーム（４７）が設けられ、該各連結アーム（４７）の内側にそれぞれ容器（１０）の半円溝（１７１）と嵌合する円形凸部（４７１）が設けられ、更に掛止部材（４０）の両側後部にそれぞれ後方へ延出する上部挟持部（４１）が設けられ、中央に該上部挟持部（４１）と間隔をおいて後方へ延出する下部挟持部（４３）が設けられると共に、該下部挟持部（４３）の上面に複数配列してなる防滑部（４３１）が設けられる。故に、上部挟持部（４１）と下部挟持部（４３）とを用いて芳香装置を挟持固定した場合、防滑部（４３１）の防滑効果により、脱落することはなく、また、本考案の芳香装置では、例えば車内におけるエアコンの吹出し口に設置した場合、エアコンの気流が空気導入口（１５）から進入し、通路（３４）を介して固体芳香剤（２０）の芳香を空気導出口（３５）から発散する設計であるので、従来のような芳香剤が零れる心配もない。
【産業上の利用可能性】
【００１４】
本考案は上記の構造を有し、表側に固体芳香剤を収容可能な収容室が形成され、該収容室の下方に少なくとも１つの貫通状の空気導入口が形成される容器と、
その裏側と前記容器の表側の間に、容器の空気導入口と収容室とが連通する通路が形成されるように、該容器の表側に配置され、その上側に前記通路と連通する空気導出口が形成される前部カバーと、
前記容器上に設置される掛止部材と、を含むことにより、車内におけるエアコンの吹出し口に設置しても、従来のように芳香剤が零れる心配はなく、芳香をスムーズに外部へ発散させることができる。
【図面の簡単な説明】
【００１５】
【図１】本考案に係る芳香装置の斜視図である。
【図２】本考案に係る芳香装置の分解斜視図である。
【図３】本考案に係る芳香装置の側面断面図である。
【図４】従来の芳香装置の側面断面図である。
【符号の説明】
【００１６】
１０        容器
１１        収容室
１１１        固定ロッド
１３        貫通孔
１３１        凸部
１５        空気導入口
１７        凸ブロック
１７１        半円溝
２０        固体芳香剤
３０        前部カバー
３１        マーク用凹部
３３        フック
３４        通路
３５        空気導出口
４０        掛止部材
４１        上部挟持部
４３        下部挟持部
４３１        防滑部
４７        連結アーム
４７１        円形凸部
９０        ブラケット
９１        容器
９２        液体芳香剤
９３        芯
９４        上蓋
９４１        貫通孔
９５        挟持部材
【図１】
0003117077.tif 000003
【図２】
0003117077.tif 000004
【図３】
0003117077.tif 000005
【図４】
0003117077.tif 000006